(57)【要約】【課題】浮遊画像を用いることにより、携帯端末との情報のやりとりをユーザが興味を持って楽しむことができる画像表示装置を提供する。【解決手段】画像表示装置１００は、表示部１０と画像伝達パネル２０を備えて浮遊画像を表示する浮遊画像表示部１１０と、浮遊画像表示部１１０を組み込んだ第１の筐体１０２と、第１の筐体１０２の開口の下端かつ前方位置に配設され、上面を携帯端末２が載置可能な通信面１０５とした第２の筐体１０３と、第２の筐体１０３内に組み込まれ、通信面１０５を介した無線通信により携帯端末２と情報の送受信を行う情報送受信部１２０と、浮遊画像の表示制御及び送受信制御を行う制御部１３０と、を有し、制御部１３０は、携帯端末２からＩＤ情報を受信すると浮遊画像として表示されていたオブジェクトを携帯端末２に吸い込ませるような表示制御及び該オブジェクトに関連する情報を携帯端末２に送信する制御を行う。【選択図】図６
2012078571.tif 000002
【特許請求の範囲】
【請求項１】
二次元画像を表示する画像表示面を備えた表示部と、前記画像表示面から出射される光の光路に配置された画像伝達パネルと、を備えてなり、前記画像表示面から出射される光を前記画像伝達パネルの前記表示部と対向する側と反対側に位置する空間に、浮遊画像として表示する浮遊画像表示ユニットと、
前記浮遊画像表示ユニットを内部に組み込んで、前記表示部から出射される光の出射方向に開口を設けた筐体と、
前記筐体の前記開口の下端位置、かつ、前記開口からの光の出射方向である前方位置に配設され、その上面を携帯端末が載置可能な通信面とするとともに、前記通信面を介した無線通信によって前記通信面近傍の前記携帯端末と情報の送受信を行う情報送受信ユニットと、
前記浮遊画像表示ユニットが表示する前記浮遊画像の表示制御、及び前記情報送受信ユニットが送受信する情報の送受信制御を行う制御手段と、
を有し、
前記制御手段は、
前記情報送受信ユニットが前記携帯端末からＩＤ情報を受信することを契機として、前記浮遊画像として表示されていた所定のオブジェクトが前記携帯端末に吸い込まれるように前記浮遊画像の表示制御を行うとともに、前記所定のオブジェクトに関連する情報を前記携帯端末に送信するように送受信制御を行い、前記所定のオブジェクトに関連する情報の送信が終了したときには、前記所定のオブジェクトの前記浮遊画像を消失させるような表示制御を行うことを特徴とする画像表示装置。
【請求項２】
前記浮遊画像は、前記画像表示面に表示された二次元画像に基づく実像であるとともに、前記画像伝達パネルによって空間中の結像面に結像された実像であり、
前記通信面と前記結像面のなす角度は鈍角であることを特徴とする請求項１記載の画像表示装置。
【請求項３】
前記空間における被検出体の位置を検出する位置検出手段をさらに備え、
前記制御手段は、
前記位置検出手段が前記空間内において前記被検出体を検出した場合には、前記携帯端末を前記通信面に載置するように促す前記浮遊画像を表示することを特徴とする請求項１又は２記載の画像表示装置。
【発明の詳細な説明】
【技術分野】
【０００１】
本発明は、二次元画像を立体的に表示する画像表示装置に関する。
【背景技術】
【０００２】
近年、立体画像を観察者に対して提供する様々なシステムが提案されている。
【０００３】
この種の画像表示装置においては、両眼視差を利用することにより、ディスプレイ等の画像表示面上の二次元画像を立体画像として提供する方式が良く知られている。
【０００４】
しかしながら、この両眼視差を利用した画像表示装置では、観察者は、対象物体の立体画像として虚像を注視することになるため、画像表示面上に合わされるピント（焦点調節）と輻輳との間に不一致が生じ、観察者に対して生理的な影響を与える可能性がある。
【０００５】
そこで、この方式とは別に、画像伝達パネル（例えば、複数のレンズからなるマイクロレンズアレイ）を、二次元画像の画像表示面の前方に所定の間隔を隔てて配置することにより、画像伝達パネルの前方の空間上に、二次元画像の擬似立体画像（浮遊画像）を表示する画像表示装置が提供されている（例えば、特許文献１。）。この画像表示装置は、二次元画像を画像伝達パネルによって浮き出させて結像することで、あたかも立体画像が映し出されているように表示するものである。
【０００６】
また、このような浮遊画像を表示する画像表示装置の中には、２つの二次元画像の表示面を備え、一方の表示面に映し出される画像は、浮遊画像として認識させ、他方の表示面に映し出される画像は、直視画像として認識させる画像表示装置も存在する（例えば、特許文献２参照。）。また、インタラクティブなコミュニケーションを浮遊画像との間で図ることができる画像表示装置も存在する（例えば、特許文献３、４参照。）。例えば、特許文献３には、観察者の指などの被検出物の位置を検出して、検出した被検出物の位置に応じて浮遊画像を変化させる技術、特許文献４には、道具などの被検出物の属性を検出して、検出した被検出物の属性に応じて浮遊画像を変化させる技術が開示されている。
【０００７】
さらには、携帯電話などの携帯端末との情報のやりとりを、浮遊画像を介して行う画像表示装置も存在する（例えば、特許文献５）。
【先行技術文献】
【特許文献】
【０００８】
【特許文献１】特開２００３−３３３６２３号公報
【特許文献２】特開２００５−２３４２４０号公報
【特許文献３】特開２００５−１４１１０２号公報
【特許文献４】国際公開第２００８／０４１３１５号パンフレット
【特許文献５】国際公開第２０１０／０３５３２６号パンフレット
【発明の概要】
【発明が解決しようとする課題】
【０００９】
昨今ではＩＣチップを埋め込まれた携帯電話などの携帯端末を、読み取り端末にかざすだけで料金の精算などの情報のやりとりが可能となる環境が整っている。
【００１０】
上述したような「かざす」または「触れる」といった簡単な行為により行われる携帯情報端末と読み取り端末の情報のやりとりを、ユーザが積極的に楽しめるような演出効果があれば、携帯端末を用いた情報提供サービスをさらに促進することになる。
【００１１】
本発明は、上記の事情を鑑みてなされたものであり、その課題の一例としては、浮遊画像を用いることにより、携帯端末との情報のやりとりをユーザが興味を持って楽しむことができる画像表示装置を提供することにある。
【課題を解決するための手段】
【００１２】
上記の課題を達成するため、本発明の一態様は、二次元画像を表示する画像表示面を備えた表示部と、前記画像表示面から出射される光の光路に配置された画像伝達パネルと、を備えてなり、前記画像表示面から出射される光を前記画像伝達パネルの前記表示部と対向する側と反対側に位置する空間に、浮遊画像として表示する浮遊画像表示ユニットと、前記浮遊画像表示ユニットを内部に組み込んで、前記表示部から出射される光の出射方向に開口を設けた筐体と、前記筐体の前記開口の下端位置、かつ、前記開口からの光の出射方向である前方位置に配設され、その上面を携帯端末が載置可能な通信面とするとともに、前記通信面を介した無線通信によって前記通信面近傍の前記携帯端末と情報の送受信を行う情報送受信ユニットと、前記浮遊画像表示ユニットが表示する前記浮遊画像の表示制御、及び前記情報送受信ユニットが送受信する情報の送受信制御を行う制御手段と、を有し、前記制御手段は、前記情報送受信ユニットが前記携帯端末からＩＤ情報を受信することを契機として、前記浮遊画像として表示されていた所定のオブジェクトが前記携帯端末に吸い込まれるように前記浮遊画像の表示制御を行うとともに、前記所定のオブジェクトに関連する情報を前記携帯端末に送信するように送受信制御を行い、前記所定のオブジェクトに関連する情報の送信が終了したときには、前記所定のオブジェクトの前記浮遊画像を消失させるような表示制御を行うことを特徴とする。
【図面の簡単な説明】
【００１３】
【図１】本発明の実施の形態に係る画像表示装置の浮遊画像表示部の外観斜視図である。
【図２】本発明の実施の形態に係る画像表示装置の浮遊画像表示部の側面から見た外観図である。
【図３】本発明の実施の形態に係る画像表示装置の浮遊画像表示部の画像伝達パネルの構成図である。
【図４】本発明の実施の形態に係る画像表示装置の浮遊画像表示部の画像伝達パネルであるマイクロレンズアレイの光学的作用を説明する図である。
【図５】図４に示すマイクロレンズアレイとは異なる構成のマイクロレンズアレイの光学的作用を説明する図である。
【図６】本発明の実施の形態に係る画像表示装置の概略構成図である。
【図７】本発明の実施の形態に係る画像表示装置の外観斜視図である。
【図８】本発明の実施の形態に係る画像表示装置の側面図である。
【図９】本発明の実施の形態に係る画像表示装置の動作の一例を示すフローチャートである。
【図１０】本発明の実施の形態に係る画像表示装置が表示する浮遊画像を示す図である。
【図１１】本発明の実施の形態に係る画像表示装置の動作を説明する模式図である。
【図１２】本発明の実施の形態に係る携帯端末に表示される情報を示す図である。
【図１３】本発明の実施の形態に係る画像表示装置の変形例の概略構成図である。
【図１４】本発明の実施の形態に係る画像表示装置の変形例の動作の一例を示すフローチャートである。
【図１５】本発明の実施の形態に係る画像表示装置の浮遊画像表示部の他の構成を示す図である。
【発明を実施するための形態】
【００１４】
以下、本発明の実施の形態を図面を用いて説明する。
【００１５】
＜画像表示システム１００の概要＞
本発明の実施の形態に係る画像表示システム１００は、観察者Ｈが立体表示であると視認可能な二次元画像を空間中の所定の平面上に表示する擬似立体画像表示装置の画像表示装置１と、観察者Ｈが携行する携帯端末２と、とから構成されている。以下、本実施の形態においては、上述した「空間中の所定の平面上に表示される二次元画像」を浮遊画像と称する。浮遊画像は、観察者Ｈからはあたかも空中に浮かんでいるように見える実像画像である。画像表示システム１００は、画像表示装置１が浮遊画像を表示しつつ携帯端末２に所定の情報を提供するシステムである。具体的には、画像表示装置１が備える情報送受信面１０５に携帯端末２を触れる、またはかざすと、画像表示装置１と携帯端末２との間で情報のやりとりが行われて、表示されていた所定のアイコンの浮遊画像が携帯端末２に吸い込まれるように画像表示されるとともに、所定のアイコンが示すサイト情報が画像表示装置１から携帯端末２に送信されるようになっている。例えば、所定のアイコンがあるイタリアンレストランの店名を表示している場合には、当該イタリアンレストランのＵＲＬ情報が携帯端末２に送信されるので、ユーザは携帯端末２に送信されたＵＲＬ情報を基に当該イタリアンレストランのサイトを閲覧することが可能となっている。このように画像表示システム１００は、浮遊画像を用いて、画像表示装置１と携帯端末２との間の情報の転送を可視化して、観察者Ｈにデータ転送が行われていることを直感的に把握させることを可能としている。
【００１６】
＜画像表示装置１の基本構成＞
まず、本実施の形態に係る画像表示システム１００について説明する前に、画像表示装置１の基本構成、すなわち、浮遊画像を表示する機能を有する画像表示装置１の浮遊画像表示部１１０の構成について説明する。
【００１７】
図１及び図２は、本発明の実施の形態に係る浮遊画像表示部１１０の概略構成図である。図１は、浮遊画像表示部１１０の外観斜視図、図２は、浮遊画像表示部１１０を側面方向（図１のＡ−Ａ方向）から見たときの外観図である。
【００１８】
浮遊画像表示部１１０は、表示部１０と、表示部１０から離間して配置された画像伝達パネル２０を備える。
【００１９】
表示部１０は、二次元画像を表示する画像表示面１１、及び表示部１０を駆動制御するディスプレイ駆動部（図示せず）を具備する構成である。具体的には、表示部１０は、カラー液晶表示装置（ＬＣＤ）を用いることができ、フラットな画像表示面１１と、バックライト照明部及びカラー液晶駆動回路等から構成されるディスプレイ駆動部を備える。勿論、表示部１０は、上記ＬＣＤ以外でもよく、ＥＬ（electro-luminescence）ディスプレイ、プラズマディスプレイ、ＣＲＴ（Cathode Ray Tube）等のディスプレイでもよい。
【００２０】
画像伝達パネル２０は、例えば、マイクロレンズアレイ２５によって構成され、そのパネル面を表示部１０の画像表示面１１と略並行に配置する（図１及び図２参照）。マイクロレンズアレイ２５は、図３に示すように、２枚のレンズアレイ半体２１ａ、２１ｂが互いに平行に配列されて構成されている。各レンズアレイ半体２１ａ、２１ｂは、透光性に優れたガラスまたは樹脂からなる透明基板２２の両面に、同一の曲率半径を有する複数の微小なマイクロ凸レンズ２３を二次元状に互いに隣接配置したものである。一面に形成された各マイクロ凸レンズ２３ａの光軸は、対向する位置に形成された他面のマイクロ凸レンズ２３ｂの光軸と同一となるように調整されている。すなわち、同一の光軸を有するように調整されたマイクロ凸レンズ２３ａ、２３ｂの各対は、それぞれの光軸が互いに平行になるように、二次元状に配列されている。
【００２１】
マイクロレンズアレイ２５は、表示部１０の画像表示面１１に対して平行に所定距離（マイクロレンズアレイ２５の作動距離）だけ離れた位置に配置されている。マイクロレンズアレイ２５は、表示部１０の画像表示面１１から出射した画像に対応する光を画像表示面１１と反対側の所定距離（マイクロレンズアレイ２５の作動距離）だけ離れた結像面３０上に結像させることにより、画像表示面１１に表示された画像を空間上の二次元平面である結像面３０上に表示するようになっている。この結像された画像は二次元画像であるが、その画像が奥行き感を持つものである場合やディスプレイ上の背景画像が黒くコントラストが強調されているような場合には、空間上に浮いて表示されることから、正面の観察者Ｈからは、あたかも立体画像が映し出されているように見える。なお、結像面３０は、空間上に仮想的に設定される平面であって実体物ではなく、マイクロレンズアレイ２５の作動距離に応じて定義される空間上の一平面である。
【００２２】
なお、マイクロレンズアレイ２５の浮遊画像表示パラメータ（具体的には、有効面積（入射される光を結像面３０上に有効に結像できるマイクロ凸レンズ配列面積など）およびマイクロ凸レンズ配列ピッチ）と、表示部１０の浮遊画像表示パラメータ（具体的には、画像表示面１１の画素ピッチ、有効画素面積、画像表示面１１に表示される画像の輝度、コントラストおよび色など）とは、結像面３０に表示される浮遊画像が鮮明に表示されるように、互いに最適化されている。
【００２３】
この結果、マイクロレンズアレイ２５は、図４に示すように、表示部１０の画像表示面１１から出射された画像Ｐ１に対応する光をレンズアレイ半体２１ａから入射させ、内部で一回反転させた後、再度反転させてレンズアレイ半体２１ｂから出射させるように調整されて配置されている。これにより、マイクロレンズアレイ２５は、表示部１０の画像表示面１１に表示された二次元画像Ｐ１を、結像面３０上に正立の浮遊画像Ｐ２として表示することができる。
【００２４】
より詳しくは、画像表示面１１に表示される二次元画像Ｐ１を形成する光のうち、マイクロレンズアレイ２５の各々のマイクロ凸レンズ２３に対応する領域の画像の光が、各々のマイクロ凸レンズ２３に取り込まれ、各々のマイクロ凸レンズ２３の内部で反転し、再度反転させて出射し、各々のマイクロ凸レンズ２３が結像する正立像の集合として浮遊画像Ｐ２を表示している。
【００２５】
なお、マイクロレンズアレイ２５は、レンズアレイ半体２１ａ、２１ｂの二枚一組で構成されるものに限定されず、一枚で構成してもよく、また、３枚以上の複数枚で構成してもよい。勿論、１枚、３枚など奇数枚のレンズアレイ半体２１で浮遊結像を結像させる場合においても、図５（ａ）及び（ｂ）に示すように、マイクロレンズアレイ２５に入射させた光を内部で一回反転させた後、再度反転させるようになっているので、正立の浮遊画像を表示することができる。
【００２６】
以上述べたように、マイクロレンズアレイ２５には種々の構成が考えられ、このように構成されたマイクロレンズアレイ２５は、光を結像させる作動距離として、単一の距離でなく、ある一定の有効範囲を持つことが可能となる。
【００２７】
なお、本実施の形態においては、画像伝達パネル２０をマイクロレンズアレイ２５としたが、画像伝達パネル２０はマイクロレンズアレイ２５に限定されるものではなく、正立像、望ましくは正立等倍像を結像するものであれば、何であってもよく、他の形態のレンズやレンズ以外の結像作用があるミラーやプリズムでもよい。例えば、マイクロレンズアレイとしては、屈折率分布レンズアレイ、ＧＲＩＮレンズアレイ、ロッドレンズアレイなどであってもよいし、マイクロミラーアレイとしては、ルーフミラーアレイ、コーナーミラーアレイなどでもよいし、また、マイクロプリズムアレイとしては、ルーフプリズムアレイ、ダブプリズムアレイなどでもよい。また、反転像となるが、アレイではなく、必要な有効領域を持つ一つのフレネルレンズでもよい。
【００２８】
＜画像表示システム１００の構成＞
次に、図６〜図８を用いて、画像表示システム１００の構成について説明する。図６は、画像表示装置１と携帯端末２とから構成される画像表示システム１００の機能構成図である。図７は、画像表示システム１００の筐体１０１の外観斜視図であり、図８は、画像表示システム１００の筐体１０１の側面図である。なお、本実施の形態では、図６に示すように、Ｘ軸方向を前後方向（＋Ｘ方向を前、−Ｘ方向を後とする）、
Ｙ軸方向を左右方向（＋Ｙ方向を右、−Ｙ方向を左とする）、Ｚ軸方向を上下方向（＋Ｚ方向を上、−Ｚ方向を下とする）とする。換言すれば、本実施の形態では、図６〜図８に示すように、結像面３０に対して垂直な方向を前後方向（観察者Ｈに近づく方向を前、観察者Ｈから遠ざかる方向を後）、結像面３０に対して平行な方向を上下方向及び左右方向と定義する。
【００２９】
画像表示装置１は、図６に示すように、概略、浮遊画像表示部１１０と、情報送受信部１２０と、制御部１３０と、を具備する構成である。
【００３０】
浮遊画像表示部１１０は、上述したように、表示部１０と画像伝達パネル２０とから構成され、結像面３０に浮遊画像Ｐ２を表示する機能を有する。
【００３１】
情報送受信部１２０は、無線通信を介して、携帯端末２に情報を送信したり、携帯端末２から情報を受信したりする。具体的には、結像面３０の前方かつ下方に設けられた情報送受信面１０５に携帯端末２を載置すると、情報送受信部１２０は、携帯端末２から携帯端末２のＩＤ情報を受信するようになっている。また、情報送受信部１２０は、ＩＤ情報を受信後に制御部１３０により選択されたＵＲＬ（Uniform Resource Locator）情報を携帯端末２に送信するようになっている。なお、無線通信の方式は、数センチから数メートル先の携帯端末２と双方向通信が可能であればいかなる方式であってもよく、例えば、無線ＬＡＮ、Ｂｌｕｅｔｏｏｔｈ（登録商標）、ＦｅｌｉＣａ（登録商標）などが想定される。したがって、携帯端末２は必ずしも情報送受信面１０５に載置される必要はなく、情報送受信面１０５に近づけるだけでもよい。すなわち、携帯端末２が情報送受信部１２０と通信可能な距離に近づいたことを契機として、情報送受信部１２０はＩＤ情報を受信するようになっている。
【００３２】
制御部１３０は、表示部１０に表示する画像データを生成し、画像表示面１１に二次元画像Ｐ１を表示する機能、つまり、浮遊画像Ｐ２を表示する画像制御機能と、携帯端末２と情報を送受信する情報送受信部１２０を制御する送受信制御機能と、を備えている。
【００３３】
具体的には、画像制御機能においては、制御部１３０は、情報送受信部１２０を介して携帯端末２のＩＤ情報を受け取ると、表示されていた浮遊画像Ｐ２が携帯端末２に吸い込まれるような画像制御を行うようになっている。例えば、所定のアイコンを浮遊画像Ｐ３として表示している場合には、当該アイコンが小さくなるとともに徐々に落下するような画像制御を行う。
【００３４】
また、送受信制御機能においては、制御部１３０は、情報送受信部１２０を介して携帯端末２のＩＤ情報を受け取ると、ＩＤ情報の受信を契機に携帯端末２に送信するＵＲＬ情報を決定し、決定したＵＲＬ情報を、情報送受信部１２０を介して送信するようになっている。ここで、ＵＲＬ情報は、浮遊画像Ｐ２として表示されていたアイコンに関連するＵＲＬ情報であり、例えば、アイコンが所定のレストランの広告宣伝機能を兼ねている場合には、当該レストランのＵＲＬ情報となる。なお、送信されるＵＲＬ情報は、アイコンと一意に対応づけられており、浮遊画像Ｐ２として表示されているアイコンが異なれば、送信されるＵＲＬ情報も異なるようになっている。また、画像表示装置１の制御部１３０が、携帯端末２のＩＤ情報の属性別にＵＲＬ情報を細かく管理している場合には、同一のアイコンを浮遊画像Ｐ２として表示したとしても、その属性に応じて異なるＵＲＬ情報を送信することが可能である。
【００３５】
携帯端末２は、観察者Ｈが携行可能な情報端末であり、表示部５０を有する。携帯端末２としては、画像表示装置１の情報送受信部１２０と無線通信可能な携帯端末であれば何であってもよく、例えば、携帯電話端末、ＰＤＡ（Personal Digital Assistant）、ポータブルゲーム機などの携行可能な情報端末が想定される。
【００３６】
画像表示装置１の筐体１０１は、図７及び図８に示すように、浮遊画像表示部１１０が内蔵される略箱型の第１の筐体１０２と、情報送受信部１２０が内蔵される略円柱状の第２の筐体１０３と、第１の筐体１０２と第２の筐体１０３を一体化させる設置台１０４と、を備える。
【００３７】
第１の筐体１０２は、その前面に開口面１０６が設けられている。開口面１０６の横幅及び縦幅は、それぞれ、マイクロレンズアレイ２５の有効面積に合わせて形成されている。浮遊画像表示部１１０は、この開口面１０６を介して第１の筐体１０２の外の結像面３０に浮遊画像Ｐ２を表示する。すなわち、第１の筐体１０２内に設置された表示部１０から出射された光は、第１の筐体１０２に設置された画像伝達パネル２０、及び開口１０６を介して、第１の筐体１０２外の結像面３０に結像されるように、浮遊画像表示パラメータは調整されている。なお、開口面１０６は、透明なアクリル板で覆われているため、ゴミやホコリ等の異物が第１の筐体１０２内に侵入することはない。
【００３８】
本実施の形態では、第１の筐体１０２の開口面１０６は、図７及び図８に示すように、地面に垂直ではなく、やや上方に向かって開口しているので、結像面３０も地面に垂直でなく、地面に対してその上方を奥、下方を手前となるようにやや前後に傾斜した平面となっている。なお、本実施の形態では、第１の筐体１０２の仰角は、可変可能であるため、結像面３０の傾斜は調整可能である。すなわち、第１の筐体１０２は、第２の筐体１０３とヒンジ機構１０７を介して接続されているので、ヒンジ機構１０７の角度を調整することにより、第１の筐体１０２の仰角は調整可能となっている。
【００３９】
第２の筐体１０３は、その平坦な上面を、携帯端末２と情報のやりとりを行う情報送受信面１０５としており、情報送受信面１０５は、携帯端末２を載置可能としている。本実施の形態では、図８に示すように、結像面３０と情報送受信面１０５は鈍角をなしているので、観察者Ｈが、結像面３０の浮遊画像Ｐ２及び情報送受信面１０５の双方を見やすい構成となっている。
【００４０】
また、観察者Ｈは、結像面３０に表示された浮遊画像Ｐ２を、結像面３０に対して、より手前に配設された情報送受信面１０５と比較対象しつつ見ることとなるので、浮遊画像Ｐ２を立体画像として認識しやすくなっている。
【００４１】
さらには、本実施の形態では、上述した情報送受信面１０５と結像面３０との位置関係により、浮遊画像Ｐ２を携帯端末２に吸い込ませるような演出をより臨場感あるものとしている。すなわち、本実施の形態では、結像面３０は、その上方を奥、下方を手前となるように傾斜して形成されるとともに、情報送受信面１０５は、結像面３０の下方一端と鈍角をなす前方位置に設置されているので、両者の位置関係から、両者はあたかも同一画面上におけるが如く一体的に視認されるようになっている。その結果、浮遊画像Ｐ２の演出がより効果的となっている。
【００４２】
＜画像表示システム１００の動作＞
次に、図９を用いて、本実施の形態に係る画像表示システム１００の動作について説明する。図９は、画像表示装置１の動作の一例を示すフローチャートである。
【００４３】
まず、画像表示装置１の制御部１３０は、結像面３０に初期画面を浮遊画像Ｐ２として表示する（ステップＳ１０）。例えば、図１０に示すような、店名の入ったバルーンの画像を浮遊画像Ｐ２Ａとして表示する。
【００４４】
次に、画像表示装置１の情報送受信部１２０は、携帯端末２のＩＤを受信したか否かを判定する（ステップＳ２０）。具体的には、情報送受信面１０５上に携帯端末２を載置されて（あるいは、情報送受信面１０５近傍に携帯端末２が近づいて）、情報送受信部１２０が携帯端末２と通信可能となった結果、携帯端末２のＩＤを受信したか否かを判定する。
【００４５】
情報送受信部１２０が携帯端末２のＩＤを受信した場合には（ステップＳ２０：ＹＥＳ）、制御部１３０は、結像面３０に表示されていた浮遊画像Ｐ２のアイコンが携帯端末２に吸い込まれるように浮遊画像Ｐ２を変化させる（ステップＳ３０）。具体的には、図１０に示すように、バルーンが徐々にしぼんでいくとともに、図１１に示すように、下方に向かって落下していくように浮遊画像Ｐ２を表示する。なお、情報送受信部１２０が携帯端末２のＩＤを受信しない場合には（ステップＳ２０：ＮＯ）、初期画面を浮遊画像Ｐ２としてそのまま表示し続ける（ステップＳ１０）。
【００４６】
次に、画像表示装置１の制御部１３０は、情報送受信部１２０が受信した携帯端末２のＩＤに基づいて、誘導するサイトを決定し（ステップＳ４０）、決定したサイトのＵＲＬ情報を、情報送受信部１２０を介して送信する（ステップＳ５０）。具体的には、浮遊画像Ｐ２が示していた店名に関連する店のＵＲＬ情報を決定し、このＵＲＬ情報を携帯端末２に送信する。
【００４７】
次に、ＵＲＬ情報の送信が終了すると、画像表示装置１の制御部１３０は、浮遊画像Ｐ２のアイコンを消去する（ステップＳ６０）。具体的には、バルーンを消去して、煙が舞うような浮遊画像Ｐ２を表示する。この結果、観察者Ｈは、アイコン画像Ｐ２が携帯端末２に吸い込まれるような画像演出を観察することとなる。
【００４８】
一方、携帯端末２では、ＵＲＬ情報を受信すると、受信したＵＲＬ情報に対する接続を確認するメッセージが携帯端末２の表示部５０に表示されるので、観察者ＨがこのＵＲＬ情報に基づくサイトへの接続操作を行うと、携帯端末２の表示部５０にはアイコンに関連する情報が表示される。図１２は、浮遊画像Ｐ２として表示されたアイコンがあるイタリアンレストランを示していた場合における携帯端末２の表示部５０に表示される画像例である。図１２（ａ）は、イタリアンレストランの地図情報Ｐ３１Ａを表示している場合、図１２（ｂ）は、イタリアンレストランの料理情報Ｐ３２Ａを表示している場合、図１２（ｃ）は、イタリアンレストランのクーポン情報Ｐ３３を表示している場合を示している。
【００４９】
このように本実施の形態では、携帯端末２を情報送受信面１０５に載置することにより、浮遊画像として空中上に表示されているアイコンが空中から携帯端末２に吸い込まれるような浮遊画像Ｐ２の表示が行われるとともに、アイコンが示すＵＲＬ情報が携帯端末２に送信されるので、観察者Ｈは、楽しみながら、所望の情報を取得することができる。
【００５０】
＜その他の実施形態＞
図１３は、本実施の形態の変形例であり、画像表示装置１Ａと携帯端末２とから構成される画像表示システム１００Ａの機能構成図である。画像表示装置１Ａは、画像表示装置１の構成に加えて、位置検出部１４０を備えている。以下においては、上記実施の形態と異なる構成、機能及び処理のみ説明し、その他の構成、機能及び処理に関しては同一部位には同一符号を付して説明を省略する。
【００５１】
位置検出部１４０は、観察者Ｈの被検出体（本実施の形態においては、携帯端末２や指など）の位置を検出するセンサであり、検出した信号を制御部１３０Ａに出力するようになっている。位置検出部１４０は、具体的には、結像面３０近傍の空間における被検出体の位置を検出する空間センサから構成されている。なお、空間センサはいずれの方式であってもよく、例えば、光学式の空間センサなどが想定される。
【００５２】
制御部１３０Ａは、位置検出部１４０による被検出体の検出も加味して、浮遊画像Ｐ２を表示する画像制御機能と、情報送受信部１２０を介して携帯端末２と情報を送受信する送受信制御機能と、を備えている。具体的には、制御部１３０Ａは、制御部１３０の機能に加えて、位置検出部１４０が結像面３０近傍において被検出体を検出することを契機に、表示部１０に表示する二次元画像Ｐ１を変化させる画像制御機能を有している。
【００５３】
次に、図１４を用いて、画像表示システム１００Ａの動作の一例について説明する。図１４は、画像表示装置１Ａの動作を示すフローチャートである。
【００５４】
まず、画像表示装置１Ａの制御部１３０Ａは、結像面３０に初期画面を浮遊画像Ｐ２として表示する（ステップＳ１１０）。
【００５５】
次に、位置検出部１４０による被検出体の検出があったか否かを判定する（ステップＳ１２０）。具体的には、観察者Ｈの指や携帯端末２の検出があったか否かを判定する。位置検出部１４０による被検出体の検出があった場合には（ステップＳ１２０：ＹＥＳ）、制御部１３０Ａは、携帯端末２の情報送受信面１０５への載置を促す浮遊画像Ｐ２を表示する（ステップＳ１３０）。例えば、「携帯電話を置いてください」などの文字を表示し、携帯端末２の情報送受信面１０５への載置を促す。
【００５６】
次に、画像表示装置１Ａの情報送受信部１２０は、携帯端末２のＩＤを受信したか否かを判定する（ステップＳ１４０）。これは、携帯端末２の情報送受信面１０５への載置を促す浮遊画像Ｐ２に応えて、観察者Ｈが携帯端末２を情報送受信面１０５に載置したか否かを判定するものである。
【００５７】
情報送受信部１２０が携帯端末２のＩＤを受信した場合には（ステップＳ１４０：ＹＥＳ）、制御部１３０Ａは、情報送受信部１２０が受信した携帯端末２のＩＤに基づいて、誘導するサイトの優先順位付けを行い、その優先順位に基づいて最優先順位のサイトに関するアイコンを浮遊画像Ｐ２として表示する（ステップＳ１５０）。すなわち、本変形例では、複数のサイトへの誘導が可能であり、ＩＤの属性などにより、誘導するサイトの順位付けが行われようになっている。例えば、優先順位が１位のサイトが所定のハンバーガーショップである場合には、当該ハンバーガーショップのアイコンを浮遊画像Ｐ２として表示する。
【００５８】
次に、位置検出部１４０による被検出体の検出があったか否かを判定する（ステップＳ１６０）。具体的には、観察者Ｈの指が浮遊画像Ｐ２として表示されたアイコンに触れたか否かを判定する。
【００５９】
位置検出部１４０による被検出体の検出があった場合には（ステップＳ１６０：ＹＥＳ）、その検出が長押し検出であるか否かを判定する（ステップＳ１７０）。本変形例では、長押し検出（具体的には１秒以上、浮遊画像Ｐ２に触れることを意味する）は、触れたアイコンの選択決定を意味し、また、短押し検出（具体的には１秒未満、浮遊画像Ｐ２に触れることを意味する）は、次のメニュー（アイコン）表示を意味する。
【００６０】
長押し検出である場合には（ステップＳ１７０：ＹＥＳ）、表示されていた浮遊画像Ｐ２のアイコンが選択されたので、制御部１３０Ａは、選択されたアイコンが携帯端末２に吸い込まれるように浮遊画像Ｐ２を変化させる（ステップＳ１９０）。一方、長押し検出でない場合、つまり短押し検出である場合には（ステップＳ１７０：ＮＯ）、次の優先順位のサイトに関するアイコンを浮遊画像Ｐ２として表示し（ステップＳ１８０）、ステップＳ１６０に戻る。例えば、次の優先順位のサイトが所定のコーヒーショップである場合には、当該コーヒーショップのアイコンを浮遊画像Ｐ２として表示する。
【００６１】
選択されたアイコンが携帯端末２に吸い込まれるように浮遊画像Ｐ２を変化させた後、画像表示装置１Ａの制御部１３０Ａは、選択されたアイコンに基づき、誘導するサイトを決定し（ステップＳ２００）、決定したサイトのＵＲＬ情報を、情報送受信部１２０を介して送信する（ステップＳ２１０）。
【００６２】
次に、ＵＲＬ情報の送信が終了すると、画像表示装置１Ａの制御部１３０Ａは、浮遊画像Ｐ２のアイコンを消去する（ステップＳ２２０）。
【００６３】
このように位置検出部１４０の検出に基づいて、浮遊画像Ｐ２を変化させるとともに、浮遊画像Ｐ２のアイコンを複数の中から選択可能とすることにより、観察者Ｈが所望のサイトを選択できるようにしてもよい。なお、本変形例では、１つのアイコンを浮遊画像Ｐ２として表示する例を説明したが、複数のアイコンを浮遊画像Ｐ２として表示するようにしてもよい。また、複数のアイコンを一定の時間で切り替えて表示し、位置検出部１４０による被検出体の検出があったときのアイコンを選択するようにしてもよい。
【００６４】
また、上記実施の形態及びその変形例では、携帯端末２に送信する情報をＵＲＬ情報としたが、携帯端末２に送信する情報は、これに限定されるものではない。例えば、ポイント情報などでもよい。携帯端末２に送信する情報をポイント情報とする場合には、画像表示システム１００を商店街などのポイントラリーに適用することも可能である。例えば、個々の商店の店頭に画像表示システム１００を配置することによって、ユーザが各商店で浮遊画像Ｐ２を楽しみつつ携帯端末２にその商店街で使えるポイントを獲得するような仕組みとしてもよい。この場合、さらに次の商店を紹介するような浮遊画像Ｐ２を表示して、商店街を回遊させるような仕組みしてもよい。また、ＵＲＬ情報やポイント情報のほか、画像情報、メール、アプリケーション、音声などを携帯端末２に送信するようにしてもよい。
【００６５】
なお、上記実施の形態及びその変形例では、浮遊画像表示部の構成として、結像面３０上に実像を表示する方式（浮遊画像は一平面上に形成される方式；以下、３Ｄフローティングビジョン（登録商標）方式という）を採用したが、浮遊画像表示部の構成はこの方式に限定されるものではなく、空間中に実像を表示する方式であればいずれの方式であってもよい。例えば、浮遊画像として実像を表示するＩＰ（インテグラルフォトグラフィ）方式を採用してもよい。
【００６６】
図１５は、ＩＰ方式を採用した画像表示装置１Ｂの浮遊画像表示部１１０Ｂの概略構成図である。ＩＰ方式の場合には、図１５に示すように、画像伝達パネル２０Ｂは、３Ｄフローティングビジョン（登録商標）方式の場合よりも、表示部１０に近い位置に配置される。具体的には、画像伝達パネル２０Ｂは、ピンホールアレイ、マイクロレンズアレイ、レンチキュラーレンズなどであり、画像伝達パネル２０Ｂは、一平面上に結像させるのではなく、表示部１０からの出射光の方向を変える若しくは制御するために用いられるので、浮遊画像は、奥行きを持った浮遊画像Ｐ２Ｂとして形成される。
【００６７】
すなわち、本発明の浮遊画像には、空間中の所定の平面上に表示される二次元画像Ｐ２の他、空間中に物理的に奥行きを持って表示される三次元画像Ｐ２Ｂも含まれる。
【００６８】
なお、ＩＰ方式の場合には、奥行きを持った浮遊画像Ｐ２Ｂを表示するため、３Ｄフローティングビジョン（登録商標）方式の場合よりも、表示部１０に表示する二次元画像の画像制御が複雑となるので、簡単に立体画像を制作するという観点から見ると、３Ｄフローティングビジョン（登録商標）方式がより好適である。
【００６９】
以上、述べたように本実施の形態に係る画像表示装置１は、二次元画像を表示する画像表示面１１を備えた表示部１０と、画像表示面１１から出射される光の光路に配置された画像伝達パネル２０と、を備えてなり、画像表示面１１から出射される光を画像伝達パネル２０の表示部１０と対向する側と反対側に位置する空間に、浮遊画像Ｐ２として表示する浮遊画像表示部１１０と、浮遊画像表示部１１０を内部に組み込んで、表示部１０から出射される光の出射方向に開口面１０６を設けた第１の筐体１０２と、第１の筐体１０２の開口面１０６の下端位置、かつ、開口面１０６からの光の出射方向である前方位置に配設され、その上面を携帯端末２が載置可能な情報送受信面１０５とした第２の筐体１０３と、第２の筐体１０３内に組み込まれ、情報送受信面１０５を介した無線通信によって情報送受信面１０５近傍の携帯端末２と情報の送受信を行う情報送受信部１２０と、浮遊画像表示部１１０が表示する浮遊画像Ｐ２の表示制御、及び情報送受信部１２０が送受信する情報の送受信制御を行う制御部１３０と、を有し、制御部１３０は、情報送受信部１２０が携帯端末２からＩＤ情報を受信することを契機として、浮遊画像Ｐ２として表示されていた所定のオブジェクトが携帯端末２に吸い込まれるように浮遊画像Ｐ２の表示制御を行うとともに、所定のオブジェクトに関連する情報を携帯端末２に送信するように送受信制御を行い、所定のオブジェクトに関連する情報の送信が終了したときには、所定のオブジェクトの浮遊画像Ｐ２を消失させるような表示制御を行うように構成される。したがって、携帯端末２との情報のやりとりを、浮遊画像を用いた新規なインターフェースで実現し、その転送操作自体をユーザが興味を持って楽しむことができる。
【００７０】
また、浮遊画像Ｐ２は、画像表示面１１に表示された二次元画像に基づく実像であるとともに、画像伝達パネル２０によって空間中の結像面３０に結像された実像であり、情報送受信面１０５と結像面３０のなす角度は鈍角であるように構成されるので、観察者Ｈが、結像面３０の浮遊画像Ｐ２及び情報送受信面１０５の双方を見やすいともに、浮遊画像Ｐ２を携帯端末２に吸い込ませるような演出をより臨場感あるものとしている。
【００７１】
さらには、本変形例の画像表示装置１Ａは、空間における被検出体の位置を検出する位置検出部１４０をさらに備え、制御部１３０Ａは、位置検出部１４０が空間内において被検出体を検出した場合には、携帯端末２を情報送受信面１０５に載置するように促す浮遊画像Ｐ２を表示するので、浮遊画像Ｐ２の演出をインタラクティブなものとすることができる。
【００７２】
なお、上記実施の形態及びその変形例では、情報送受信部３０を第２の筐体１０３に内蔵される構成としたが、これに限定されない。例えば、第２の筐体１０３を不要な構成とし、情報送受信部３０が備える情報送受信面１０５を結像面３０の前方かつ下方位置に配設するようにしてもよい。
【００７３】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【符号の説明】
【００７４】
１，１Ａ，１Ｂ  画像表示装置
２  携帯端末
１０，５０  表示部
１１  画像表示面
２０，２０Ｂ  画像伝達パネル
２１  レンズアレイ半体
２２  透明基板
２３  マイクロ凸レンズ
２５  マイクロレンズアレイ
３０  結像面
１００，１００Ａ，  画像表示システム
１０１  筐体
１０２  第１の筐体
１０３  第２の筐体
１０４  設置台
１０５  情報送受信面
１０６  開口面
１０７  ヒンジ機構
１１０  浮遊画像表示部
１２０  情報送受信部
１３０，１３０Ａ  制御部
１４０  位置検出部
Ｐ１  二次元画像
Ｐ２，Ｐ２Ｂ  浮遊画像
Ｐ３  携帯画像（二次元画像）
Ｈ  観察者（ユーザ）
【図１】
2012078571.tif 000003
【図２】
2012078571.tif 000004
【図３】
2012078571.tif 000005
【図４】
2012078571.tif 000006
【図５】
2012078571.tif 000007
【図６】
2012078571.tif 000008
【図７】
2012078571.tif 000009
【図８】
2012078571.tif 000010
【図９】
2012078571.tif 000011
【図１０】
2012078571.tif 000012
【図１１】
2012078571.tif 000013
【図１２】
2012078571.tif 000014
【図１３】
2012078571.tif 000015
【図１４】
2012078571.tif 000016
【図１５】
2012078571.tif 000017